(57)【要約】【課題】光学素子を設置部材に簡易かつ適正に取り付けることが可能な光学素子の取付構造およびそれを用いた光ピックアップ装置を提供する。【解決手段】ハウジングＨには、２つの斜面Ｈ１１、Ｈ２１と、ｘ軸に垂直な壁面Ｈ１３、Ｈ２３、Ｈ４２、Ｈ４３が形成されている。ＰＢＳ１０３は、窪みＨ１に対して上側から嵌め込まれ、ＰＢＳ１０３の透過面１０３ｂと壁面Ｈ４２との間に、板ばねＰが挿入される。これにより、ＰＢＳ１０３の２つの下面１０３ｅ、１０３ｆが、斜面Ｈ１１、Ｈ２１によってＹ軸正方向に支持され、ＰＢＳ１０３の入射面１０３ａが、壁面Ｈ１３、Ｈ２３、Ｈ４３によってｘ軸負方向に支持され、ＰＢＳ１０３の透過面１０３ｂが、板ばねＰによってｘ軸正方向に押さえられる。【選択図】図４
2015026400.tif 000002
【特許請求の範囲】
【請求項１】
光学素子を設置部材に取り付けるための取付構造において、
前記光学素子と前記設置部材との間に介挿される弾性部材を備え、
前記設置部材は、
１つの水平面に対して外側が同じ方向に変位するよう所定の角度だけ傾けられた２つの斜面と、
前記斜面の後方に形成され、前記斜面に垂直な第１の壁面と、
前記斜面の前方に形成され、前記第１の壁面と向き合う第２の壁面と、を備え、
前記光学素子は、前記２つの斜面にそれぞれ載置される２つの下面を備え、
前記２つの斜面に前記２つの下面を載置した状態で、前記弾性部材が前記第２の壁面と前記光学素子の前面との間に介挿され、前記弾性部材による弾性力により、前記光学素子の背面が前記第１の壁面に押し付けられる、
ことを特徴とする光学素子の取付構造。
【請求項２】
請求項１に記載の光学素子の取付構造において、
前記弾性部材は、２つの板状部分が所定の間隔をおいて向き合うように折り曲げられた板状のばねであり、
前記２つの板状部分の間隔が前記所定の間隔から縮められて、前記２つの板状部分が前記第２の壁面と前記光学素子の前面との間に介挿される、
ことを特徴とする光学素子の取付構造。
【請求項３】
請求項２に記載の光学素子の取付構造において、
前記ばねの一方の前記板状部分には、前記２つの板状部分が前記第２の壁面と前記光学素子の前面との間に介挿されると前記光学素子の前記前面に当接する曲面形状の凸面が形成されている、
ことを特徴とする光学素子の取付構造。
【請求項４】
請求項３に記載の光学素子の取付構造において、
前記ばねの他方の前記板状部分の上部に、前記一方の板状部分から離れる方向に延びる係止部が延設され、
前記設置部材には、前記第２の壁部の上側に前記係止部が当接する当接面が形成され、
前記係止部が前記当接面に当接するまで、前記２つの板状部分が前記第２の壁面と前記光学素子の前面との間に押し込まれる、
ことを特徴とする光学素子の取付構造。
【請求項５】
請求項１ないし４の何れか一項に記載の光学素子の取付構造において、
前記斜面の幅方向の両側に、前記下面が前記斜面に載置されたときに前記下面の幅方向に両端との間の隙間を確保するための隙間生成部が形成されている、
ことを特徴とする光学素子の取付構造。
【請求項６】
請求項５に記載の光学素子の取付構造において、
前記２つの斜面は、互いに向き合うよう形成され、
前記設置部材には、前記斜面の前記第１の壁面側に、前記斜面よりも一段低く前記斜面に平行な逃がし面が前記隙間生成部として形成され、
前記第１の壁面は、同一平面上に配置された３つの壁面部を備え、
前記３つの壁面部のうち２つが、前記逃がし面から上方向に延設されている、
ことを特徴とする光学素子の取付構造。
【請求項７】
請求項６に記載の光学素子の取付構造において、
前記弾性部材は、前記３つの壁面部と前記光学素子の前記背面との当接位置を頂点とする三角形の重心位置に前記弾性力が付与されるように、前記第２の壁面と前記光学素子の前面との間に介挿される、
ことを特徴とする光学素子の取付構造。
【請求項８】
請求項１ないし７の何れか一項に記載の光学素子の取付構造において、
前記設置部材には、前記下面が前記斜面に載置されたときに前記２つの下面の境界の角部が前記設置部材に当接するのを回避させる逃がし部が形成されている、
ことを特徴とする光学素子の取付構造。
【請求項９】
請求項１ないし８の何れか一項に記載の光学素子の取付構造と、
レーザ光源から出射されたレーザ光をディスクに照射するための光学系と、
前記光学系が設置される前記設置部材としてのハウジングと、を備え、
前記光学系を構成する少なくとも一つの光学素子が、前記取付構造によって、前記ハウジングに取り付けられる、
ことを特徴とする光ピックアップ装置。
【発明の詳細な説明】
【技術分野】
【０００１】
本発明は、光学素子の取付構造およびそれを用いた光ピックアップ装置に関する。
【背景技術】
【０００２】
従来、光ピックアップ装置には、ハーフミラーや偏光ビームスプリッタ等の種々の光学素子が設置されている。これら光学素子は、光ピックアップ装置のハウジングに精度良く取り付けられる必要がある。この場合、光学素子は、底面がハウジングに載置されるようにして設置される。たとえば、矩形状のハーフミラーをハウジングに設置する場合、ハーフミラーの一つの側面をハウジングの設置面に押しつけながら、ハーフミラーをハウジングに接着固定する方法が用いられる（たとえば、特許文献１）。
【先行技術文献】
【特許文献】
【０００３】
【特許文献１】特開２００６−４０３９９号公報
【発明の概要】
【発明が解決しようとする課題】
【０００４】
しかしながら、上記の方法によれば、ハーフミラーを固定する際に、ハーフミラーを設置面に押し付けながら接着を行うといった煩雑な作業が必要となる。
【０００５】
本発明は、かかる問題を解消するためになされたものであり、光学素子を設置部材に簡易かつ適正に取り付けることが可能な光学素子の取付構造およびそれを用いた光ピックアップ装置を提供することを目的とする。
【課題を解決するための手段】
【０００６】
本発明の第１の態様は、光学素子を設置部材に取り付けるための取付構造に関する。本態様に係る取付構造は、前記光学素子と前記設置部材との間に介挿される弾性部材を備える。前記設置部材は、１つの水平面に対して外側が同じ方向に変位するよう所定の角度だけ傾けられた２つの斜面と、前記斜面の後方に形成され、前記斜面に垂直な第１の壁面と、前記斜面の前方に形成され、前記第１の壁面と向き合う第２の壁面と、を備える。また、前記光学素子は、前記２つの斜面にそれぞれ載置される２つの下面を備える。前記２つの斜面に前記２つの下面を載置した状態で、前記弾性部材が前記第２の壁面と前記光学素子の前面との間に介挿され、前記弾性部材による弾性力により、前記光学素子の背面が前記第１の壁面に押し付けられる。
【０００７】
本態様によれば、光学素子の下面を斜面に載置するだけで、前後方向に垂直な面内方向において、光学素子が位置決めされる。また、弾性部材を前記第２の壁面と前記光学素子の前面との間に介挿することにより、前後方向において、光学素子が位置決めされる。よって、光学素子を設置部材に簡易かつ適正に取り付けることができる。
【０００８】
本態様において、弾性部材は、２つの板状部分が所定の間隔をおいて向き合うように折り曲げられた板状のばねとされ得る。この場合、２つの板状部分の間隔が所定の間隔から縮められて、２つの板状部分が第２の壁面と光学素子の前面との間に介挿される。
【０００９】
この構成において、ばねの一方の板状部分には、２つの板状部分が第２の壁面と光学素子の前面との間に介挿されると光学素子の前面に当接する曲面形状の凸面が形成されるのが望ましい。こうすると、第２の壁面と光学素子の前面との間に、ばねを滑らかに押し込
むことができる。
【００１０】
また、ばねの他方の板状部分の上部に、一方の板状部分から離れる方向に延びる係止部を延設し、この係止部に当接する当接面を第２の壁部の上側に形成し、係止部が当接面に当接するまで、２つの板状部分を第２の壁面と光学素子の前面との間に押し込むようにして、ばねを設置部材に取り付けるようにすると良い。こうすると、２つの板状部分を第２の壁面と光学素子の前面との間に押し込むだけで、ばねを設置部材に取り付けることができる。
【００１１】
また、前記斜面の幅方向の両側には、光学素子の下面が斜面に載置されたときに下面の幅方向に両端との間の隙間を確保するための隙間生成部が形成されているのが望ましい。こうすると、光学素子の切り出し時に、光学素子の下面にバリが付いている場合にも、バリが設置部材に当接して光学素子が傾くことが防止される。よって、光学素子の位置決めの精度を高めることができる。
【００１２】
この場合、前記２つの斜面が、互いに向き合うよう形成されている場合、設置部材には、前記斜面の第１の壁面側に、この斜面よりも一段低くこの斜面に平行な逃がし面が隙間生成部として形成され得る。そして、第１の壁面が、同一平面上に配置された３つの壁面部を備える場合には、これら３つの壁面部のうち２つが、前記逃がし面から上方向に延設される。こうすると、設置部材を金型により形成する際に、壁面部が金型から抜けにくくなるのを抑制でき、金型を設置部材から引き抜く際に、壁面部に欠損等が生じるのを抑制することができる。
【００１３】
また、弾性部材は、３つの壁面部と光学素子の背面との当接位置を頂点とする三角形の重心位置に弾性力が付与されるように、第２の壁面と光学素子の前面との間に介挿されるのが望ましい。こうすると、光学素子の背面を３つの壁面部に均等に押し付けることができる。
【００１４】
さらに、設置部材には、光学素子の下面が斜面に載置されたときに２つの下面の境界の角部が設置部材に当接するのを回避させる逃がし部が形成されるのが望ましい。こうすると、光学素子の下面を斜面に載置する際に、角部が設置部材に当接して、光学素子が傾くことを回避することができ、光学素子の位置精度を高めることができる。
【００１５】
本発明の第２の態様は、光ピックアップ装置に関する。本態様に係る光ピックアップ装置は、上記第１の態様に係る光学素子の取付構造と、レーザ光源から出射されたレーザ光をディスクに照射するための光学系と、前記光学系が設置される前記設置部材としてのハウジングとを備える。そして、光学系を構成する少なくとも一つの光学素子が、前記取付構造によって、ハウジングに取り付けられる。
【００１６】
本態様によれば、上記第１の態様と同様の効果が奏され得る。
【発明の効果】
【００１７】
以上のとおり、本発明によれば、光学素子を設置部材に簡易かつ適正に取り付けることが可能な光学素子の取付構造およびそれを用いた光ピックアップ装置を提供することができる。
【００１８】
本発明の特徴は、以下に示す実施の形態により更に明らかとなろう。ただし、以下の実施の形態は、あくまでも本発明の一つの実施形態であって、本発明ないし各構成要件の用語の意義は、以下の実施の形態により何ら制限されるものではない。
【図面の簡単な説明】
【００１９】
【図１】実施の形態に係る光ピックアップ装置の光学系を示す図である。
【図２】実施の形態に係る光ピックアップ装置の構成を示す図である。
【図３】実施の形態に係る光ピックアップ装置の構成を示す図である。
【図４】実施の形態に係るＰＢＳの設置位置の近傍におけるハウジングを示す図、ＰＢＳを示す図、および板ばねを示す図である。
【図５】実施の形態に係るＰＢＳがハウジングに取り付けられることを説明する図である。
【図６】実施の形態に係るＰＢＳがハウジングに取り付けられた状態を示す図、ＰＢＳが支持される位置を示す図、ＰＢＳの下面が斜面に当接している状態を示す図、および窪みの壁面を容易に形成することができることを説明する図である。
【図７】実施の形態の変更例に係るＰＢＳの取り付け構造を説明する図である。
【発明を実施するための形態】
【００２０】
本実施の形態は、ＢＤ（ブルーレイディスク）、ＣＤ（Compact Disc）およびＤＶＤ（Digital Versatile Disc）にレーザ光を照射する光ピックアップ装置に本発明を適用したものである。
【００２１】
図１（ａ）、（ｂ）に、実施の形態に係る光ピックアップ装置１の光学系を示す。図１（ａ）は光学系の上面図、図１（ｂ）は対物レンズアクチュエータ周辺部分を側面側から見た内部透視図、図１（ｃ）は半導体レーザ１０１におけるレーザ素子の配置状態を示す図である。
【００２２】
図１（ａ）を参照して、光ピックアップ装置１は、半導体レーザ１０１と、回折格子１０２と、平板状の偏光ビームスプリッタ（ＰＢＳ）１０３と、λ／４板１０４と、コリメータレンズ１０５と、レンズアクチュエータ１０６と、立ち上げミラー１０７と、対物レンズ１０８と、回折光学素子１０９と、光検出器１１０を備える。
【００２３】
半導体レーザ１０１は、波長４００ｎｍ程度のレーザ光（以下、「ＢＤ光」という）と、波長６５０ｎｍ程度のレーザ光（以下、「ＤＶＤ光」という）と、波長７８０ｎｍ程度のレーザ光（以下、「ＣＤ光」という）を同一方向に出射する。
【００２４】
図１（ｂ）に示すように、半導体レーザ１０１は、一つのＣＡＮ内に、ＢＤ光、ＤＶＤ光、ＣＤ光をそれぞれ出射するレーザ素子１０１ａ、１０１ｂ、１０１ｃを備える。レーザ素子１０１ｂ、１０１ｃは、発光点の間隔がｗ２となるように一体的に形成され、レーザ素子１０１ａは、その発光点とレーザ素子１０１ｂの発光点との間隔がｗ１（ｗ１＞ｗ２）となるように形成されている。レーザ素子１０１ａ、１０１ｂ、１０１ｃは、各発光点が一直線上に並ぶように形成されている。半導体レーザ１０１以降の光学系は、その光軸がＤＶＤ光の光軸に整合するように調整されている。
【００２５】
回折格子１０２は、半導体レーザ１０１から出射されたＢＤ光、ＤＶＤ光、ＣＤ光のうちＢＤ光のみをメインビームと２つのサブビームに分割する。ＤＶＤ光とＣＤ光も回折格子１０２による回折作用を受けるが、これら光のサブビームの強度は、極めて小さくなっている。
【００２６】
ＰＢＳ１０３は、回折格子１０２側から入射されたレーザ光を反射する。ＰＢＳ１０３は、薄板状の平行平板となっており、その入射面に、偏光膜が形成されている。半導体レーザ１０１は、ＢＤ光、ＤＶＤ光、ＣＤ光の偏光方向がＰＢＳ１０３に対してＳ偏光となるように配置されている。
【００２７】
λ／４板１０４は、ＰＢＳ１０３によって反射されたレーザ光を円偏光に変換するとともに、ディスクからの反射光を、ディスクへ向かうときの偏光方向に直交する直線偏光に変換する。これにより、ディスクによって反射されたレーザ光はＰＢＳ１０３を透過して光検出器１１０へと導かれる。
【００２８】
コリメータレンズ１０５は、ＰＢＳ１０３によって反射されたレーザ光を平行光に変換する。レンズアクチュエータ１０６は、λ／４板１０４とコリメータレンズ１０５を、コリメータレンズ１０５の光軸方向に駆動する。
【００２９】
レンズアクチュエータ１０６は、移動部材１０６ａと、シャフト１０６ｂと、ギア１０６ｃと、モータ１０６ｄを備える。移動部材１０６ａは、λ／４板１０４とコリメータレンズ１０５を保持している。移動部材１０６ａは、コリメータレンズ１０５の光軸方向に移動可能にシャフト１０６ｂに支持されている。また、移動部材１０６ａにはギア（図示せず）が配され、このギアが、ギア１０６ｃに噛み合っている。ギア１０６ｃは、モータ１０６ｄの駆動軸に連結されている。モータ１０６ｄが駆動されることにより、移動部材１０６ａに保持されたコリメータレンズ１０５がλ／４板１０４とともに移動する。こうして、コリメータレンズ１０５が制御信号に応じて移動されることにより、レーザ光に生じる収差が補正される。
【００３０】
立ち上げミラー１０７は、コリメータレンズ１０５を介して入射されたレーザ光を対物レンズ１０８に向かう方向に反射する。対物レンズ１０８は、ホルダ１２１に保持され、ホルダ１２１は、対物レンズアクチュエータ１２２によって、フォーカス方向およびトラッキング方向に駆動される。このようにホルダ１２１が駆動されることにより、対物レンズ１０８が、フォーカス方向およびトラッキング方向に駆動される。
【００３１】
ディスクからの反射光は、λ／４板１０４によりＰＢＳ１０３に対してＰ偏光となる直線偏光に変換される。これにより、ディスクからの反射光は、ＰＢＳ１０３を透過する。ＰＢＳ１０３は、ＢＤ光、ＤＶＤ光、ＣＤ光の光軸に対して４５度傾くように配置されている。このため、ＢＤ光、ＤＶＤ光、ＣＤ光が収束状態でＰＢＳ１０３を透過すると、これらの光に非点収差が導入される。
【００３２】
回折光学素子１０９は、ＢＤ光、ＤＶＤ光、ＣＤ光を回折させる。回折光学素子１０９は、ＢＤ光に対しては＋１次の回折効率が高く、ＤＶＤ光、ＣＤ光に対しては０次の回折効率が高くなるよう設計されている。ＢＤ光の＋１次の回折光は、回折光学素子１０９によってＤＶＤ光の光軸に近づく方向に曲げられ、光検出器１１０の受光面上において、ＤＶＤ光の照射位置に照射される。
【００３３】
光検出器１１０には、ＤＶＤ光とＣＤ光の０次の回折光が照射される位置に、それぞれ、４分割センサが配置されている。ＢＤ光のメインビーム（＋１次回折光）は、上記のように回折光学素子１０９により回折されることにより、ＤＶＤ光を受光する４分割センサに照射される。さらに、光検出器１１０には、ＢＤ光の２つのサブビーム（＋１次回折光）が照射される位置に４分割センサが配置されている。光検出器１１０のセンサレイアウトは、各センサからの出力により、再生ＲＦ信号、フォーカスエラー信号、トラッキングエラー信号が生成されるよう設定されている。
【００３４】
図２は、光ピックアップ装置１を上側から見たときの斜視図である。図２には、図１（ａ）、（ｂ）に示す構成のうち、対物レンズ１０８、ホルダ１２１、対物レンズアクチュエータ１２２が示されている。その他の光学系は、ハウジングＨの裏面に装着されている。また、図２には、後述する開口Ｈ４１と板ばねＰが示されている。ハウジングＨは、ＰＰＳ（ポリフェニレンスルファイド）により形成されている。
【００３５】
図３は、光ピックアップ装置１を裏側から見たときの斜視図である。図３には、図１（ａ）、（ｂ）に示す構成のうち、半導体レーザ１０１、回折格子１０２、ＰＢＳ１０３、λ／４板１０４、移動部材１０６ａ、シャフト１０６ｂ、ギア１０６ｃ、モータ１０６ｄ、立ち上げミラー１０７が示されている。図３に示すように、ハウジングＨの裏面には、光学系の各部材を設置するための受け部が形成されている。光学系の各部材は、直接またはホルダに収容された状態で、対応する受け部に設置される。
【００３６】
図４（ａ）は、ＰＢＳ１０３の設置位置の近傍におけるハウジングＨを示す図である。図４（ａ）には、図１（ａ）に示す座標と同様の座標が併せて示されている。また、図４（ａ）には、ＸＺ平面（水平面）において、Ｘ軸とＺ軸に対して４５度の角度をなすｘ軸とｙ軸が併せて示されている。ｘ軸とｙ軸は互いに垂直である。
【００３７】
ハウジングＨにおけるＰＢＳ１０３の設置位置の近傍には、窪みＨ１が形成されている。窪みＨ１には、ｙ軸正方向（左後方）側に斜面Ｈ１１、Ｈ１２と、壁面Ｈ１３が形成されており、ｙ軸負方向（右前方）側に斜面Ｈ２１、Ｈ２２と壁面Ｈ２３が形成されている。また、窪みＨ１には、ｘ軸負方向（左前方）側に平面Ｈ３１が形成されており、中央のＸ軸正方向（下方向）側に開口Ｈ４１と、壁面Ｈ４２、Ｈ４３が形成されている。なお、窪みＨ１の後方と、右方向と、左方向には、レーザ光が通るための窪みが形成されており、窪みＨ１はこれらの窪みと繋がっている。
【００３８】
斜面Ｈ１１、Ｈ２１は、ＸＺ平面（水平面）に平行な状態から開口Ｈ４１側が低くなるように傾斜している。斜面Ｈ１１の両側に、それぞれ、斜面Ｈ１１よりも一段低く、且つ、斜面Ｈ１１と平行な斜面Ｈ１２が形成されている。同様に、斜面Ｈ２１の両側に、それぞれ、斜面Ｈ２１よりも一段低く、且つ、斜面Ｈ２１と平行な斜面Ｈ２２が形成されている。さらに、ｘ軸正側の斜面Ｈ１２、Ｈ２２から上方向（Ｙ軸正方向）に、ｘ軸方向に垂直な壁面Ｈ１３、Ｈ２３が延設されている。斜面Ｈ１２と斜面Ｈ２２は、開口Ｈ４１へと繋がっており、ｘ軸正側の斜面Ｈ１２、Ｈ２２の開口Ｈ４１側は、ｘ軸方向に垂直な壁面Ｈ４３と繋がっている。壁面Ｈ４３は、開口Ｈ４１の一つの内側面である。開口Ｈ４１は、上面視において、略長方形の輪郭を有し、この長方形の長辺と短辺がそれぞれｘ軸方向とｙ軸方向に平行となっている。開口Ｈ４１は、ｘ軸負側の斜面Ｈ１２、Ｈ２２のｘ軸負側の端縁よりも、さらにｘ軸負側に広がっている。開口Ｈ４１のｘ軸負側の面は、ｘ軸に対して垂直であり、同じくｘ軸に対して垂直な壁面Ｈ４２に同一平面として繋がっている。壁面Ｈ４２の上端は、平面Ｈ３１に繋がっている。壁面Ｈ４２と平面Ｈ３１との境界部分は、面取りされている。
【００３９】
窪みＨ１は、開口Ｈ４１の中心を通りｙ軸方向と垂直な面に対して対称な形状となるよう構成されている。斜面Ｈ１１、Ｈ１２、Ｈ２１、Ｈ２２は、ＸＺ平面（水平面）と４５度の角度をなす面であり、斜面Ｈ１１、Ｈ２１は、それぞれ、斜面Ｈ１２、Ｈ２２よりもＹ軸正方向（上方向）側に突出している。平面Ｈ３１は、水平面と平行な面であり、開口Ｈ４１は、ハウジングＨを上下方向に貫通する孔である。壁面Ｈ１３、Ｈ２３、Ｈ４２、Ｈ４３は、ｘ軸に垂直な面である。また、壁面Ｈ１３、Ｈ２３、Ｈ４３は、同一平面上に位置付けられている。また、壁面Ｈ１３、Ｈ２３、Ｈ４３は、ハウジングＨを形成する金型の壁面Ｈ１３、Ｈ２３、Ｈ４３に対応する領域に鏡面加工を施すことにより、面精度が高められている。ＰＢＳ１０３は、窪みＨ１に対して、図４（ａ）の上側から下側に向けて嵌め込まれる。
【００４０】
図４（ｂ）は、ＰＢＳ１０３を示す図である。なお、図４（ｂ）には、図４（ａ）に示す座標と同様の座標が併せて示されている。
【００４１】
ＰＢＳ１０３は、直方体形状であり、表面に、入射面１０３ａと、透過面１０３ｂと、上面１０３ｃ、１０３ｄと、下面１０３ｅ、１０３ｆを有している。入射面１０３ａと透過面１０３ｂは、正方形形状である。図４（ｂ）は、ＰＢＳ１０３が、上面１０３ｃと下面１０３ｆが水平面（ＸＺ平面）と平行であり、且つ、入射面１０３ａと透過面１０３ｂがｘ軸に垂直となる状態から、ｘ軸を回転軸として４５度回転させられた状態を示している。
【００４２】
図４（ｂ）のように傾けられたＰＢＳ１０３は、この状態で図４（ａ）の窪みＨ１に対して上側から嵌め込まれる。このとき、下面１０３ｅは斜面Ｈ１１に当接し、下面１０３ｆは斜面Ｈ２１に当接し、下面１０３ｅ、１０３ｆの境界の角部１０３ｇは、ハウジングＨに接しないよう開口Ｈ４１に位置付けられる。また、ＰＢＳ１０３は、入射面１０３ａが壁面Ｈ１３、Ｈ２３、Ｈ４３に当接するよう、窪みＨ１に嵌め込まれる。
【００４３】
斜面Ｈ１１、Ｈ２１は、ＸＺ平面（水平面）と４５度の角度をなす面であり、斜面Ｈ１１、Ｈ２１のなす角は９０度である。また、ＰＢＳ１０３は直方体であるため、下面１０３ｅ、１０３ｆのなす角も９０度である。したがって、ＰＢＳ１０３を窪みＨ１に挿入する際に、ＰＢＳ１０３の下面１０３ｅ、１０３ｆを斜面Ｈ１１、Ｈ２１に載せると、ＰＢＳ１０３の自重により、下面１０３ｅ、１０３ｆの両方が、それぞれ、対応する斜面Ｈ１１、Ｈ２１に当接する位置へと移動し、ＰＢＳ１０３がその位置に位置決めされる。また、この状態でｘ軸方向にＰＢＳ１０３を移動させても、ｘ軸に垂直な平面の面内方向におけるＰＢＳ１０３の位置は維持される。
【００４４】
図５（ａ）は、図４（ａ）に示す窪みＨ１に、図４（ｂ）に示すＰＢＳ１０３が嵌め込まれ、入射面１０３ａが壁面Ｈ１３、Ｈ２３、Ｈ４３に当接している状態を示す図である。このとき、透過面１０３ｂと壁面Ｈ４２との間に隙間が生じており、この隙間に後述する板ばねＰが挿入される。
【００４５】
図４（ｃ）は、板ばねＰを示す図である。なお、図４（ｃ）には、図４（ａ）に示すＹ軸、ｘ軸、ｙ軸と同様の座標軸が併せて示されている。
【００４６】
板ばねＰは、金属材料からなり、中間部Ｐ１０と、屈曲部Ｐ２０と、鍔部Ｐ３０と、平面部Ｐ４０を有している。屈曲部Ｐ２０は、中間部Ｐ１０の下端に接続されている。屈曲部Ｐ２０の上端には、曲面形状の突起からなる支持面Ｐ２１が形成されている。鍔部Ｐ３０は、平面部Ｐ４０を介して、中間部Ｐ１０の上端に接続されている。平面部Ｐ４０の下面は、水平面と平行である。
【００４７】
中間部Ｐ１０のＹ軸正方向の端部から曲面状に略９０度折り曲がるようにして平面部Ｐ４０が繋がっており、さらに、中間部Ｐ１０のｘ軸負方向の端部から曲面状に略９０度折り曲がるようにして鍔部Ｐ３０が繋がっている。また、中間部Ｐ１０のＹ軸負方向の端部から曲面状に鋭角に折り曲がるようにして屈曲部Ｐ２０が繋がっている。屈曲部Ｐ２０は、底からやや高い位置（第１折り曲げ位置）において、中間部Ｐ１０から離れる方向に折り曲げられている。屈曲部Ｐ２０は、Ｙ軸正方向に向かうにつれてｙ軸方向の幅が徐々に狭くなっているが、先端部には、ｙ軸方向の幅が略同じ部分が設けられている。この幅が同じ部分の先端に近い位置（第２の折り曲げ位置）において、再び、屈曲部Ｐ２０が、中間部Ｐ１０に近づく方向に、曲面状に折り曲げられ、屈曲部Ｐ２０の先端が中間部Ｐ１０に平行な状態に近づけられている。屈曲部Ｐ２０の先端の幅が同じ部分に支持面Ｐ２１が設けられている。ｘ軸負方向に板ばねＰを見たとき、支持面Ｐ２１は、底辺がｙ軸方向に平行な二等辺三角形の全ての頂角を丸めた輪郭を有する。支持面Ｐ２１は、ｙ軸方向の幅がＹ軸方向に向かうほど狭くなっている。支持面Ｐ２１は、その上部が第２の折り曲げ位置に掛かるように配置されている。支持面Ｐ２１は、その中央部分が高くなるように湾曲
しており、支持面Ｐ２１の最も高い部分は、第２の折り曲げ位置よりもやや下側（Ｙ軸負側）にある。また、屈曲部Ｐ２０に先端のｙ軸方向にある角は曲面状に面取りされている。
【００４８】
図５（ｂ）は、図５（ａ）に示す状態において、透過面１０３ｂと壁面Ｈ４２の間に、板ばねＰが挿入された状態を示す図である。このとき、中間部Ｐ１０が壁面Ｈ４２に当接しており、屈曲部Ｐ２０の支持面Ｐ２１が、ＰＢＳ１０３の透過面１０３ｂに当接しており、平面部Ｐ４０の下面が、ハウジングＨの平面Ｈ３１に当接している。なお、板ばねＰのｙ軸方向の幅は、平面Ｈ３１と壁面Ｈ４２のｙ軸方向の幅と略同じである。
【００４９】
図６（ａ）は、図５（ｂ）の状態を示す側面図である。なお、図６（ａ）には、図５（ｂ）に示すＹ軸、ｘ軸、ｙ軸と同様の座標軸が併せて示されている。
【００５０】
透過面１０３ｂと壁面Ｈ４２の間に板ばねＰが挿入されると、中間部Ｐ１０が壁面Ｈ４２に当接し、屈曲部Ｐ２０の支持面Ｐ２１が透過面１０３ｂに当接する。このとき、屈曲部Ｐ２０が破線矢印に示す方向に折り曲げられる。屈曲部Ｐ２０が折り曲げられた状態で、平面部Ｐ４０の下面が平面Ｈ３１に当接するまで、板ばねＰが下方向（Ｙ軸負方向）に挿入される。このとき、板ばねＰの復元力によって、ＰＢＳ１０３が板ばねＰによってｘ軸正方向に付勢される。この付勢に抗して、入射面１０３ａは、壁面Ｈ１３、Ｈ２３、Ｈ４３によりｘ軸負方向に支持され、透過面１０３ｂは、支持面Ｐ２１により、ｘ軸正方向に押さえられる。板ばねＰの挿入が完了すると、図５（ｂ）に示すように、上面１０３ｃと斜面Ｈ１１の境界と、上面１０３ｄと斜面Ｈ２１の境界に、接着剤が塗布される。こうして、ＰＢＳ１０３のハウジングＨへの取り付けが完了する。
【００５１】
図６（ｂ）は、図６（ａ）の状態を、ｘ軸負方向に見た場合の図である。
【００５２】
ＰＢＳ１０３が固定されているとき、壁面Ｈ１３、Ｈ２３、Ｈ４３は、それぞれ、入射面１０３ａ上の位置ｐ１〜ｐ３を支持し、支持面Ｐ２１は、透過面１０３ｂ上の位置ｐ４に当接している。
【００５３】
このとき、図５（ｂ）に示すように、板ばねＰのｙ軸方向の幅は、平面Ｈ３１と壁面Ｈ４２の幅と略同じであり、図６（ａ）に示すように、平面部Ｐ４０の下面が平面Ｈ３１に当接するよう、板ばねＰが挿入されている。これにより、板ばねＰの支持面Ｐ２１が透過面１０３ｂを当接する位置ｐ４は、透過面１０３ｂ上において略同じ位置となる。本実施の形態において、位置ｐ４は、図６（ｂ）に示すように、位置ｐ１、ｐ２、ｐ３を頂点とする三角形の重心に位置付けられる。このように位置ｐ４を設定することにより、ＰＢＳ１０３は、壁面Ｈ１３、Ｈ２３、Ｈ４３に均等に押しつけられる。また、回折格子１０２側およびλ／４板１０４側からＰＢＳ１０３に入射するレーザ光は、入射面１０３ａ上において、破線円の位置に照射される。よって、このように位置ｐ４を設定しても、板ばねＰがレーザ光に掛かることはない。
【００５４】
図６（ｃ）は、ＰＢＳ１０３の下面１０３ｅが、斜面Ｈ１１に当接している状態を示す図である。
【００５５】
ＰＢＳ１０３の厚み（下面１０３ｅの厚み方向の幅）は、左側の斜面Ｈ１２の左端から右側の斜面Ｈ１２の右端までの幅よりも小さい。これにより、ＰＢＳ１０３を窪みＨ１に嵌め込むときに、ＰＢＳ１０３の厚みにバラつきがあっても、ＰＢＳ１０３を斜面Ｈ１１に適正に載せることができる。
【００５６】
また、下面１０３ｅには、ＰＢＳ１０３の切り出し時に、図６（ｃ）に示すようなバリ
が付いている場合ある。斜面Ｈ１１と斜面Ｈ１２の高さの差ｗ３が、想定されるバリの高さよりも大きくなるよう、斜面Ｈ１１、Ｈ１２が形成される。これにより、ＰＢＳ１０３を窪みＨ１に嵌め込むときに、バリが斜面Ｈ１２に当たることがなく、下面１０３ｅを斜面Ｈ１１に確実に載せることができる。したがって、ＰＢＳ１０３がバリによって傾くことが抑制され、ＰＢＳ１０３を精度よく設置できる。なお、斜面Ｈ２１、Ｈ２２についても、斜面Ｈ１１、Ｈ１２と同様である。
【００５７】
＜実施の形態の効果＞
本実施の形態によれば、以下の効果が奏され得る。
【００５８】
図５（ａ）に示すようにＰＢＳ１０３を窪みＨ１に嵌め込んだ後、図５（ｂ）、図６（ａ）に示すように板ばねＰを挿入することによって、ＰＢＳ１０３がハウジングＨに取り付けられるため、ＰＢＳ１０３を面に押しつけながら接着材を塗布するといった煩雑な作業が不要となり、ＰＢＳ１０３をハウジングＨに容易に取り付けることができる。
【００５９】
ＰＢＳ１０３の下面１０３ｅ、１０３ｆを斜面Ｈ１１、Ｈ２１に載置するだけで、ｘ軸方向に垂直な平面の面内方向においてＰＢＳ１０３が位置決めされ、板ばねＰを透過面１０３ｂと壁面Ｈ４２との間に押し込むことにより、ｘ軸方向においてＰＢＳ１０３が位置決めされる。よって、ＰＢＳ１０３を設置部材に簡易かつ適正に窪みＨ１に取り付けることができる。
【００６０】
図４（ｃ）に示すように、板ばねＰの屈曲部Ｐ２０に、入射面１０３ａに当接する曲面状の支持面Ｐ２１が形成されているため、壁面Ｈ４２と透過面１０３ｂとの間に、板ばねＰを滑らかに押し込むことができる。
【００６１】
図４（ｃ）に示すように、ハウジングＨの平面Ｈ３１に当接する平面部Ｐ４０が板ばねＰに形成されているため、平面部Ｐ４０が平面Ｈ３１に当接するまで、板ばねＰを壁面Ｈ４２と透過面１０３ｂとの間に押し込むだけで、板ばねＰをハウジングＨに取り付けることができる。
【００６２】
図６（ｃ）に示すように、左側の斜面Ｈ１２の左端から右側の斜面Ｈ１２の右端までの幅がＰＢＳ１０３の厚みよりも大きくなるように斜面Ｈ１１、Ｈ１２が形成されているため、ＰＢＳ１０３の厚みにバラつきがあっても、ＰＢＳ１０３を斜面Ｈ１１に適正に載せることができる。また、図６（ｃ）に示すように、斜面Ｈ１１よりも一段低い斜面Ｈ１２が形成され、斜面Ｈ１１と斜面Ｈ１２の高さの差ｗ３が、想定されるバリの高さよりも大きくなっているため、ＰＢＳ１０３にバリが付いている場合でも、バリがハウジングＨに当接してＰＢＳ１０３が傾くことば防止される。よって、ＰＢＳ１０３の位置決めの精度を高めることができる。
【００６３】
図４（ａ）に示すように、窪みＨ１に開口Ｈ４１が形成され、下面１０３ｅ、１０３ｆの境界の角部１０３ｇが開口Ｈ４１によってハウジングＨに当たらないため、ＰＢＳ１０３の下面１０３ｅ、１０３ｆを斜面Ｈ１１、Ｈ２１に載置する際に、ＰＢＳ１０３の角部１０３ｇがハウジングＨに当接して、ＰＢＳ１０３が傾くことを回避することができる。よって、ＰＢＳ１０３をハウジングＨに対して精度よく取り付けることができる。
【００６４】
図４（ａ）に示すように、壁面Ｈ１３、Ｈ２３が斜面Ｈ１２、Ｈ２２から上方向に延びるように形成されているため、ハウジングＨを金型によって形成する際に、壁面Ｈ１３、Ｈ２３が金型に引っ掛かることがない。
【００６５】
図６（ｄ）は、比較例における壁面Ｈ５１〜Ｈ５３の形成状態を示す図である。比較例
では、ＰＢＳ１３０の底面がハウジングＨ上の設置面に載置される。この場合、ＰＢＳ１３０の背面を３カ所で支持しようとすると、図６（ｄ）のように、壁面Ｈ５１、Ｈ５２に下面Ｈ５１ａ、Ｈ５２ａが形成される。このため、ハウジングＨから金型を上方向に引き抜く際に、下面Ｈ５１ａ、Ｈ５２aが金型に引っ掛かり、壁面Ｈ５１、Ｈ５２に欠損等が
生じる惧れがある。
【００６６】
これに対し、本実施の形態によれば、図６（ｅ）のように、斜面Ｈ１２、Ｈ２２から連続的に壁面Ｈ１３、Ｈ２３が形成されているため、壁面Ｈ１３、Ｈ２３に下面が生じず、このため、ハウジングＨから金型を上方向に円滑に引き抜くことができる。よって、壁面Ｈ１３、Ｈ２３に欠損等が生じることがなく、壁面Ｈ１３、Ｈ２３を適正に形成することができる。
【００６７】
図６（ｂ）に示すように、板ばねＰは、３つの壁面Ｈ１３、Ｈ２３、Ｈ４３とＰＢＳ１０３の入射面１０３ａとの当接位置を頂点とする三角形の重心位置に弾性力が付与されるように、壁面Ｈ４２と透過面１０３ｂとの間に介挿されるため、ＰＢＳ１０３の透過面１０３ｂを３つの壁面Ｈ１３、Ｈ２３、Ｈ４３に均等に押し付けることができる。
【００６８】
なお、本実施の形態では、板ばねＰによってＰＢＳ１０３がハウジングＨにある程度の強度で固定されるため、ＰＢＳ１０３の固定を補強するために接着剤が用いられる。したがって、本実施の形態では、適宜、接着剤を省略することができ、また、接着剤を用いた場合も、接着剤の劣化によりＰＢＳ１０３に位置ずれが生じることが抑制される。
【００６９】
以上、本発明の実施の形態について説明したが、本発明は、上記実施の形態に何ら制限されるものではなく、また、本発明の実施の形態も上記以外に種々の変更が可能である。
【００７０】
たとえば、上記実施の形態では、ＰＢＳ１０３の取り付け構造に本発明を適用した例が示されたが、本発明は、ＰＢＳ１０３に限らず、光ピックアップ装置内の他の光学素子（ハーフミラー、回折格子１０２、回折光学素子１０９等）の取り付け構造にも、適宜、適用可能である。
【００７１】
また、上記実施の形態では、ＰＢＳ１０３の入射面１０３ａと透過面１０３ｂが正方形形状とされたが、これに限らず、他の形状であっても良い。たとえば、ＰＢＳ１０３の入射面１０３ａと透過面１０３ｂが長方形形状であっても良く、あるいは、図７（ａ）のような５角形や、図７（ｂ）のように部分的に円弧を含む形状であっても良い。
【００７２】
また、上記実施の形態では、ＰＢＳ１０３は直方形形状とされたため、下面１０３ｅ、１０３ｆのなす角は９０度であったが、これに限らず、下面１０３ｅ、１０３ｆのなす角は９０度以外であっても良い。この場合、下面１０３ｅ、１０３ｆのなす角に合わせて、斜面Ｈ１１、Ｈ２１のなす角が設定されるのが望ましい。たとえば、下面１０３ｅ、１０３ｆのなす角θと斜面Ｈ１１、Ｈ２１のなす角θが、図７（ｃ）のように９０度を超えても良く、あるいは、図７（ｄ）のように９０度未満であっても良い。
【００７３】
また、上記実施の形態では、斜面Ｈ１１、Ｈ２１が、外側が上方向に変位したＶ字状に、すなわち、互いに向き合うよう形成されたが、外側が下方向に変位した逆Ｖ字状に、すなわち、互いに向き合わないように斜面Ｈ１１、Ｈ２１が形成されても良い。この場合、ＰＢＳ１０３の下面も、斜面Ｈ１１、Ｈ２１に載せられるよう、逆Ｖ字状の斜面となるよう形成される必要がある。斜面Ｈ１１、Ｈ２１は、ＰＢＳ１０３が載せられることによりＰＢＳ１０３の面内方向にＰＢＳ１０３が位置決めされる形状であれば良い。
【００７４】
また、上記実施の形態では、ＰＢＳ１０３の入射面１０３ａは、３つの壁面Ｈ１３、Ｈ
２３、Ｈ４３によって支持されたが、これに限らず、１つの壁面によって支持されるようにしても良い。
【００７５】
また、上記実施の形態では、斜面Ｈ１１と斜面Ｈ１２の境界と、斜面Ｈ２１と斜面Ｈ２２の境界との間に段差を設けることにより、図６（ｃ）のように、バリを逃がすための隙間が確保されたが、これに限らず、斜面Ｈ１１と斜面Ｈ２１の境界から斜面Ｈ１２と斜面Ｈ２２へと次第に近づく平面や曲面によって、斜面Ｈ１１および斜面Ｈ１２と、斜面Ｈ２１および斜面Ｈ２２が繋げられても良い。すなわち、バリを逃がすための隙間が確保されれば、斜面Ｈ１１と斜面Ｈ２１の両側の形状は、上記実施の形態以外の形状であっても良く、斜面Ｈ１２、Ｈ２２に代えて水平面に平行な平面であっても良い。ただし、図６（ｄ）、（ｅ）を参照して説明したように、金型を抜き易くするためには、斜面Ｈ１１、Ｈ２１の壁面Ｈ１３、Ｈ２３側には、斜面Ｈ１２、Ｈ２２を設けて、これら斜面Ｈ１２、Ｈ２２から壁面Ｈ１３、Ｈ２３を延設するのが望ましい。
【００７６】
なお、ＰＢＳ１０３がバリのないものである場合は、斜面Ｈ１２、Ｈ２２が省略されても良い。また、ＰＢＳ１０３の角部１０３ｇが面取りされているような場合には、ハウジングＨ側に開口Ｈ４１を形成しなくても良く、斜面Ｈ１１、Ｈ２１が交差するまで斜面Ｈ１１、Ｈ２１を延設しても良い。
【００７７】
また、上記実施の形態では、ＰＢＳ１０３の角部１０３ｇを逃がすために開口Ｈ４１を形成したが、開口Ｈ４１に代えて凹部を形成して、ＰＢＳ１０３の角部１０３ｇを逃がすようにしても良い。また、ハウジングＨ側に、開口や凹部を形成する代わりに、ＰＢＳ１０３の角部１０３ｇがハウジングＨに当たらないように、角部１０３ｇを切欠いても良い。
【００７８】
この他、本発明の実施の形態は、特許請求の範囲に示された技術的思想の範囲内において、適宜、種々の変更が可能である。
【符号の説明】
【００７９】
１  …  光ピックアップ装置
１０３  …  ＰＢＳ（光学素子）
１０３ａ  …  入射面（背面）
１０３ｂ  …  透過面（前面）
１０３ｅ、１０３ｆ  …  下面
１０３ｇ  …  角部
Ｈ  …  ハウジング（設置部材）
Ｈ１１、Ｈ２１  …  斜面
Ｈ１２  …  斜面（隙間生成部、逃がし面）
Ｈ２２  …  斜面（隙間生成部、逃がし面）
Ｈ１３、Ｈ２３、Ｈ４３  …  壁面（第１の壁面、壁面部）
Ｈ３１  …  平面（当接面）
Ｈ４２  …  壁面（第２の壁面）
Ｐ  …  板ばね（弾性部材）
Ｐ１０  …  中間部（板状部分、他方の板状部分）
Ｐ２０  …  屈曲部（板状部分、一方の板状部分）
Ｐ２１  …  支持面（凸面）
Ｐ４０  …  平面部（係止部）
Ｐ４１  …  開口（逃がし部）
【図１】
2015026400.tif 000003
【図２】
2015026400.tif 000004
【図３】
2015026400.tif 000005
【図４】
2015026400.tif 000006
【図５】
2015026400.tif 000007
【図６】
2015026400.tif 000008
【図７】
2015026400.tif 000009